(57)【要約】【課題】取り付け作業の効率を良くすることが可能なプロテクタを提供する。【解決手段】組み付けられると筒状をなす一対の半割部材２０，４０からなるプロテクタ１０であって、そのうち一方の半割部材２０には、他方の半割部材４０との当接縁２３よりも突出して前記コルゲートチューブ８０Ａ，８０Ｂの両側で立ち上がる一対の仮固定リブ２６Ａ，２６Ｂが設けられ、前記一対の仮固定リブ２６Ａ，２６Ｂは、前記コルゲートチューブ８０Ａ，８０Ｂの溝部８１Ａ，８１Ｂに差し込み可能な形状に形成されるとともに、前記一対の仮固定リブ２６Ａ，２６Ｂの立ち上がり端部２７Ａ，２７Ｂは、前記コルゲートチューブ８０Ａ，８０Ｂの溝部８１Ａ，８１Ｂに沿って互いに近付く向きに屈曲した形状とされている。【選択図】図１
2008278724.tif 000002
【特許請求の範囲】
【請求項１】
組み付けられると筒状をなす一対の半割部材からなり、電線を覆うコルゲートチューブを前記半割部材の間に挟んで保持するプロテクタであって、
前記一対の半割部材のうち一方の半割部材には、他方の半割部材との当接縁よりも突出して前記コルゲートチューブの両側で立ち上がる一対の仮固定リブが設けられ、
前記一対の仮固定リブは、前記コルゲートチューブの溝部に差し込み可能な形状に形成されるとともに、前記一対の仮固定リブの立ち上がり端部は、前記コルゲートチューブの溝部に沿って互いに近付く向きに屈曲した形状とされていることを特徴とするプロテクタ。
【請求項２】
前記仮固定リブのうち前記立ち上がり端部とは反対側の根元側の端部には、軸線が前記半割部材の軸方向に沿う支持軸部が設けられ、前記仮固定リブは前記支持軸部を介して前記一方の半割部材の周壁と連設されていることを特徴とする請求項１に記載のプロテクタ。
【請求項３】
前記一対の半割部材の周壁のうち前記仮固定リブと対応する位置には、前記仮固定リブが前記半割部材の周壁を貫通することを許容する開口窓が開口されていることを特徴とする請求項１または請求項２に記載のプロテクタ。
【請求項４】
前記半割部材には、前記仮固定リブより前記半割部材の径方向外側に配されて、同仮固定リブの前記径方向外側への所定量以上の変位を規制する変位規制部が設けられていることを特徴とする請求項２または請求項３に記載のプロテクタ。
【請求項５】
前記一対の半割部材はヒンジ部を介して連結されるとともに、両半割部材間にはこれらを開き方向に付勢する弾性連結片が設けられていることを特徴とする請求項１〜請求項４のいずれか１項に記載のプロテクタ。
【請求項６】
前記仮固定リブが設けられた前記一方の半割部材には、前記当接縁よりも前記他方の半割部材との組み付け方向へ突出する形状をなし、前記電線のうち前記コルゲートチューブから露出した部分の前記半割部材の外側へのはみ出しを防止する電線はみ出し防止部が立ち上げられていることを特徴とする請求項１〜請求項５のいずれか１項に記載のプロテクタ。
【請求項７】
前記一対の半割部材は前記電線の分岐部分に取り付けられるものであり、前記電線の幹線に被さる幹線部と、前記電線の支線に被さる支線部とが一体に形成されてなるものであることを特徴とする請求項１〜請求項６のいずれか１項に記載のプロテクタ。
【請求項８】
前記幹線部の両端部は、前記電線の幹線を覆う幹線用コルゲートチューブをそれぞれ保持する幹線用チューブ保持部とされ、前記支線部のうち前記幹線部に連設されている側とは反対側の端部は、前記電線の支線を覆う支線用コルゲートチューブを保持する支線用チューブ保持部とされていることを特徴とする請求項７に記載のプロテクタ。
【請求項９】
前記仮固定リブは、前記幹線用チューブ保持部および前記支線用チューブ保持部に一対ずつ設けられていることを特徴とする請求項８に記載のプロテクタ。
【請求項１０】
前記仮固定リブが設けられた前記一方の半割部材のうち前記幹線部と前記支線部との間の角部には、前記他方の半割部材との当接縁よりも同他方の半割部材との組み付け方向へ突出する形状をなし、前記電線のうち前記幹線用コルゲートチューブおよび前記支線用コルゲートチューブから露出した部分の前記半割部材の外側へのはみ出しを防止する電線はみ出し防止部が立ち上げられていることを特徴とする請求項８または請求項９に記載のプロテクタ。
【請求項１１】
前記電線はみ出し防止部は前記一方の半割部材の前記当接縁から立ち上がる形状とされ、
前記他方の半割部材の周壁のうち前記電線はみ出し防止部に対応する部分には、前記電線はみ出し防止部が嵌合可能な形状をなす嵌合凹部が形成されていることを特徴とする請求項６または請求項１０に記載のプロテクタ。
【請求項１２】
前記一対の半割部材には、この一対の半割部材を組み付け状態に保持するロック部が設けられ、このロック部は前記幹線用チューブ保持部と前記支線用チューブ保持部とにそれぞれ設けられていることを特徴とする請求項８〜請求項１１のいずれか１項に記載のプロテクタ。
【請求項１３】
前記ロック部は、前記幹線用チューブ保持部と前記支線用チューブ保持部とにおける前記仮固定リブよりも端側の位置に配されていることを特徴とする請求項１２に記載のプロテクタ。
【請求項１４】
前記仮固定リブが設けられた前記一方の半割部材の内周面には、前記仮固定リブとは別に、前記コルゲートチューブの溝部に差し込み可能なリブが設けられていることを特徴とする請求項１〜請求項１３のいずれか１項に記載のプロテクタ。
【発明の詳細な説明】
【技術分野】
【０００１】
本発明は、コルゲートチューブを保持可能なプロテクタに関する。
【背景技術】
【０００２】
従来、コルゲートチューブを保持可能なプロテクタとして、例えば特許文献１に記載のものが知られている。このプロテクタは、電線の束の分岐部分に取り付けられるものであり、電線の幹線を覆う幹線部と、電線の支線を覆う支線部とが略Ｔ字形をなして形成されている。プロテクタは、ヒンジ部で連結された一対の半割部材からなり、電線を覆うコルゲートチューブを間に挟んで取り付けられる。コルゲートチューブは、プロテクタの端縁から電線を覆って突出した状態になるようプロテクタの所定位置に保持され、電線がプロテクタの端縁に接触して損傷等することを防止している。
【特許文献１】特開平９−２９４３２０公報
【発明の開示】
【発明が解決しようとする課題】
【０００３】
上記のようなプロテクタの取り付けの際には、まず、一対の半割部材を開いた状態に保持し、その開いた半割部材のうち一方の半割部材を、電線の幹線に装着した幹線用コルゲートチューブに宛がう。このとき、幹線用コルゲートチューブの両端部が一方の半割部材の幹線部の両端縁から突出するように位置あわせする。次いで、幹線用コルゲートチューブから引き出された電線の支線に、支線用コルゲートチューブを嵌め付け、この支線用コルゲートチューブに一方の半割部材の支線部を宛がった状態にする。そして、支線用コルゲートチューブと幹線用コルゲートチューブとが一方の半割部材の所定位置からずれないよう手で押さえつつ、他方の半割部材を一方の半割部材側に被せていき、両半割部材を閉じた状態にする。
【０００４】
このように、プロテクタを取り付ける際には、半割部材と幹線用コルゲートチューブと支線用コルゲートチューブとを互いの位置がずれないよう手で押さえつつ作業を行わなければならないので、手間がかかって作業効率が良くないという問題がある。
本発明は上記のような事情に基づいて完成されたものであって、取り付け作業の効率を良くすることが可能なプロテクタを提供することを目的とする。
【課題を解決するための手段】
【０００５】
本発明は、組み付けられると筒状をなす一対の半割部材からなり、電線を覆うコルゲートチューブを前記半割部材の間に挟んで保持するプロテクタであって、前記一対の半割部材のうち一方の半割部材には、他方の半割部材との当接縁よりも突出して前記コルゲートチューブの両側で立ち上がる一対の仮固定リブが設けられ、前記一対の仮固定リブは、前記コルゲートチューブの溝部に差し込み可能な形状に形成されるとともに、前記一対の仮固定リブの立ち上がり端部は、前記コルゲートチューブの溝部に沿って互いに近付く向きに屈曲した形状とされていることを特徴とする。
【０００６】
このようなプロテクタによれば、組み付けの際、コルゲートチューブは一対の仮固定リブの間に装着されて側方への位置のずれが規制されるとともに、一対の仮固定リブが溝部に差し込まれることにより軸方向の位置のずれが規制され、互いに近付く向きに屈曲した立ち上がり端部によって他方の半割部材からの浮き上がりが防止される。したがって、プロテクタを取り付ける際、コルゲートチューブを一方の半割部材に対して位置ずれしないように手で押さえる必要がなくなり、もってプロテクタの取り付け作業の効率を良くすることができる。
【０００７】
前記仮固定リブのうち前記立ち上がり端部とは反対側の根元側の端部には、軸線が前記半割部材の軸方向に沿う支持軸部が設けられ、前記仮固定リブは前記支持軸部を介して前記一方の半割部材の周壁と連設されているものとすることができる。
このような構成により、仮固定リブは支持軸部の軸線を中心に互いに開閉方向に弾性変形可能となるから、コルゲートチューブを仮固定リブの間に差し入れると、一対の仮固定リブは弾性的に拡開し、コルゲートチューブは所定の位置に装着されると仮固定リブの弾性復元力により保持される。
【０００８】
また、前記一対の半割部材の周壁のうち前記仮固定リブと対応する位置には、前記仮固定リブが前記半割部材の周壁を貫通することを許容する開口窓が開口されているものとすることができる。
これにより、径の大きなコルゲートチューブが装着されて仮固定リブが拡開した状態でも、その拡開した仮固定リブを開口窓に差し込みつつ両半割部材を組み付けることができる。したがって、径寸法の異なるコルゲートチューブであっても、それぞれ仮固定リブに装着して取り付け作業を効率良く行うことができる。
【０００９】
さらに、前記半割部材には、前記仮固定リブより前記半割部材の径方向外側に配されて、同仮固定リブの前記径方向外側への所定量以上の変位を規制する変位規制部が設けられているものとすることができる。
このような構成により、変位規制部によって仮固定リブの過度な拡開変形が規制され、仮固定リブとコルゲートチューブとの係合が外れてしまうことを防止できる。
【００１０】
前記一対の半割部材はヒンジ部を介して連結されるとともに、両半割部材間にはこれらを開き方向に付勢する弾性連結片が設けられているものとすることができる。
このような構成によれば、手で押さえていなくても両半割部材が開いた状態に保持されるから、プロテクタの取り付け作業の効率を良くすることができる。
【００１１】
前記仮固定リブが設けられた前記一方の半割部材には、前記当接縁よりも前記他方の半割部材との組み付け方向へ突出する形状をなし、前記電線のうち前記コルゲートチューブから露出した部分の前記半割部材の外側へのはみ出しを防止する電線はみ出し防止部が立ち上げられているものとすることができる。
このような構成によれば、電線は一方の半割部材からはみ出さない状態で保持されるから、取り付け作業の効率を良くすることができる。
【００１２】
前記一対の半割部材は前記電線の分岐部分に取り付けられるものであり、前記電線の幹線に被さる幹線部と、前記電線の支線に被さる支線部とが一体に形成されてなるものとすることができる。
【００１３】
また、前記幹線部の両端部は、前記電線の幹線を覆う幹線用コルゲートチューブをそれぞれ保持する幹線用チューブ保持部とされ、前記支線部のうち前記幹線部に連設されている側とは反対側の端部は、前記電線の支線を覆う支線用コルゲートチューブを保持する支線用チューブ保持部とされているものとすることができる。
【００１４】
前記仮固定リブは、前記幹線用チューブ保持部および前記支線用チューブ保持部に一対ずつ設けられているものとすることができる。
このような構成によれば、全てのコルゲートチューブが仮固定リブによって位置ずれなく保持されるから、それらの位置ずれを防ぐために手で押さえる場合に比べて作業の効率を良くすることができる。
【００１５】
前記仮固定リブが設けられた前記一方の半割部材のうち前記幹線部と前記支線部との間の角部には、前記他方の半割部材との当接縁よりも同他方の半割部材との組み付け方向へ突出する形状をなし、前記電線のうち前記幹線用コルゲートチューブおよび前記支線用コルゲートチューブから露出した部分の前記半割部材の外側へのはみ出しを防止する電線はみ出し防止部が立ち上げられているものとすることができる。
このような構成によれば、電線のうち幹線から支線への屈曲部分は、電線はみ出し防止部によって一方の半割部材からはみ出さない状態で保持される。
【００１６】
前記電線はみ出し防止部は前記一方の半割部材の前記当接縁から立ち上がる形状とされ、前記他方の半割部材の周壁のうち前記電線はみ出し防止部に対応する部分には、前記電線はみ出し防止部が嵌合可能な形状をなす嵌合凹部が形成されているものとすることができる。
このような構成によれば、電線はみ出し防止部は嵌合凹部に嵌合し、半割部材の周壁から内外方向に突出することなく組み付けられる。
【００１７】
前記一対の半割部材には、この一対の半割部材を組み付け状態に保持するロック部が設けられ、このロック部は前記幹線用チューブ保持部と前記支線用チューブ保持部とにそれぞれ設けられているものとすることができる。
【００１８】
そして、前記ロック部は、前記幹線用チューブ保持部と前記支線用チューブ保持部とにおける前記仮固定リブよりも端側の位置に配されているものとすることができる。
【００１９】
また、前記仮固定リブが設けられた前記一方の半割部材の内周面には、前記仮固定リブとは別に、前記コルゲートチューブの溝部に差し込み可能なリブが設けられているものとすることができる。
【発明の効果】
【００２０】
本発明によれば、取り付け作業の効率を良くすることが可能なプロテクタを提供することが可能となる。
【発明を実施するための最良の形態】
【００２１】
以下、本発明の実施形態を図１〜図８によって説明する。本実施形態におけるプロテクタ１０は、図示しない電線の束の分岐部分に取り付けられるものであって、電線の幹線を覆って保護する幹線用コルゲートチューブ８０Ａと、電線の支線を覆って保護する支線用コルゲートチューブ８０Ｂとを保持可能なものとされている。幹線用コルゲートチューブ８０Ａおよび支線用コルゲートチューブ８０Ｂは、いずれも蛇腹状の円筒形状をなし、電線の束を一括して包囲するものである。なお、本実施形態においては、支線用コルゲートチューブ８０Ｂは、幹線用コルゲートチューブ８０Ａよりも径寸法の小さいものが使用される。
【００２２】
プロテクタ１０は合成樹脂からなり、図２に示すように、電線の束の幹線に被さって幹線用コルゲートチューブ８０Ａを保持可能な幹線部１１と、電線の束から分岐した支線に被さって支線用コルゲートチューブ８０Ｂを保持可能な支線部１２とが一体に形成されてなるものである。幹線部１１および支線部１２は、それぞれ幹線用コルゲートチューブ８０Ａおよび支線用コルゲートチューブ８０Ｂを内嵌可能な円筒状をなしている。プロテクタ１０は、幹線部１１に対して支線部１２が略直角方向に分岐した形態の略Ｔ字形とされ、幹線部１１側から支線部１２側へ電線を挿通可能に連設されている。
【００２３】
幹線部１１の内径寸法は、幹線用コルゲートチューブ８０Ａの外径寸法にほぼ等しい寸法とされ、支線部１２の内径寸法は、支線用コルゲートチューブ８０Ｂの外径寸法に対して一回り大きい、若干余裕のある寸法とされている（図１参照）。
【００２４】
幹線部１１の軸方向両端部は、幹線用コルゲートチューブ８０Ａをそれぞれ保持する幹線用チューブ保持部１３とされ、支線部１２の軸方向両端部のうち幹線部１１に連設されている側とは反対側の端部は、支線用コルゲートチューブ８０Ｂを保持する支線用チューブ保持部１４とされている。
【００２５】
幹線用チューブ保持部１３および支線用チューブ保持部１４には、幹線用コルゲートチューブ８０Ａおよび支線用コルゲートチューブ８０Ｂがそれぞれその軸方向の一端側をプロテクタ１０の外側に突出させた状態で保持される。これにより、電線の幹線および支線のうちプロテクタ１０の端縁に対応する部分はそれぞれ幹線用コルゲートチューブ８０Ａまたは支線用コルゲートチューブ８０Ｂで覆われた状態になり、電線がプロテクタ１０の端縁に接触して損傷等することが防止される。
【００２６】
このプロテクタ１０は、ヒンジ部６０を介して連結された一対の半割部材（第一半割部材２０および第二半割部材４０）からなるものであり、幹線用コルゲートチューブ８０Ａおよび支線用コルゲートチューブ８０Ｂはそれぞれ両半割部材２０，４０の間に挟まれて保持される。以下、各半割部材２０，４０の構造については、各半割部材２０，４０において電線を収容する側（互いに対向する側）を内側、その反対側を外側として説明する。
【００２７】
第一半割部材２０および第二半割部材４０は、図３に示すように、全体として同形状をなし、幹線部１１を構成する第一幹線部２０Ａおよび第二幹線部４０Ａと、支線部１２を構成する第一支線部２０Ｂおよび第二支線部４０Ｂとがそれぞれ略Ｔ字形状に連設されている。なお、第一幹線部２０Ａ、第二幹線部４０Ａ、第一支線部２０Ｂ、第二支線部４０Ｂは、いずれも半筒状をなしている。
【００２８】
第一半割部材２０のうち第一幹線部２０Ａと第一支線部２０Ｂとの間の両角部には、電線はみ出し防止部２１がそれぞれ立ち上げられている。各電線はみ出し防止部２１は、第一半割部材２０の周壁（以後、第一周壁２２と称する）のうち第二半割部材４０との当接縁（以後、第一当接縁２３と称する）から、第二半割部材４０との組み付け方向へ突出している。電線はみ出し防止部２１の内外方向の厚さ寸法は、第一周壁２２の厚さ寸法と等しい寸法とされ、その内外両面は第一周壁２２の内外両面と面一となっている。また、電線はみ出し防止部２１は、第一周壁２２の内外方向から見ると、若干幅方向に長い略長方形をなしている。そして、一対の電線はみ出し防止部２１の互いに対向する側の面（第一支線部２０Ｂに臨む側の面）は、第一支線部２０Ｂの軸方向に沿って略平行な面とされ、電線の分岐方向に沿っている（図４参照）。
【００２９】
第一半割部材２０のうち幹線用チューブ保持部１３を構成する第一幹線用チューブ保持部２４Ａ、および支線用チューブ保持部１４を構成する第一支線用チューブ保持部２４Ｂには、幹線用コルゲートチューブ８０Ａおよび支線用コルゲートチューブ８０Ｂの溝部８１Ａ，８１Ｂに差し込み可能なリブ２５Ａ，２５Ｂがそれぞれ設けられている。各リブ２５Ａ，２５Ｂは、周方向に延びる形状をなして第一幹線用チューブ保持部２４Ａおよび第一支線用チューブ保持部２４Ｂの周方向ほぼ中央位置に配されるとともに、軸方向に所定間隔（コルゲートチューブ８０Ａ，８０Ｂの溝部８１Ａ，８１Ｂの間隔に対応した間隔）を空けて第一幹線用チューブ保持部２４Ａおよび第一支線用チューブ保持部２４Ｂごとに３条ずつ設けられている。各リブ２５Ａ，２５Ｂの内側縁（突出端縁）は、各コルゲートチューブ８０の溝部８１Ａ，８１Ｂの底面に沿うような弧状をなし、また溝部８１Ａ，８１Ｂの側面の傾斜に沿うように、厚さ寸法（軸方向寸法）が内側縁に向かって少しずつ小さくなる形状とされている。
【００３０】
第一幹線用チューブ保持部２４Ａおよび第一支線用チューブ保持部２４Ｂには、第二半割部材４０との当接縁よりも突出してコルゲートチューブ８０Ａ，８０Ｂの両側でそれぞれ立ち上がる仮固定リブ２６Ａ，２６Ｂが一対ずつ設けられている。各仮固定リブ２６Ａ，２６Ｂは、３条のリブ２５Ａ，２５Ｂのうち真中に配されたリブ２５Ａ，２５Ｂの両側に位置している。
【００３１】
第一幹線用チューブ保持部２４Ａに設けられる幹線用仮固定リブ２６Ａと、第一支線用チューブ保持部２４Ｂに設けられる支線用仮固定リブ２６Ｂとはほぼ同じ形状で、支線用仮固定リブ２６Ｂが幹線用仮固定リブ２６Ａよりも一回り小さいものとされている。
【００３２】
仮固定リブ２６Ａ，２６Ｂは、それぞれコルゲートチューブ８０Ａ，８０Ｂの溝部８１Ａ，８１Ｂに差し込み可能な形状をなして第一幹線用チューブ保持部２４Ａおよび第一支線用チューブ保持部２４Ｂの第一周壁２２から内側および上側に突出する形状をなしている。各仮固定リブ２６Ａ，２６Ｂはそれぞれ板面が電線の挿通方向（コルゲートチューブ８０Ａ，８０Ｂの軸線方向）に対して略直角方向をなす板状とされている。
【００３３】
一対の仮固定リブ２６Ａ，２６Ｂの立ち上がり端部２７Ａ，２７Ｂは、図６に示すように、各コルゲートチューブ８０の溝部８１Ａ，８１Ｂに沿って互いに近付く向きに屈曲した形状とされている。一対の仮固定リブ２６Ａ，２６Ｂの互いに向き合う側の端縁である対向端縁２８Ａ，２８Ｂは、下端（仮固定リブ２６Ａ，２６Ｂの根元端）からその立ち上がり方向ほぼ中央位置までは直線状をなし、それよりも上側の部分は互いに近付く向きの弧状をなしている。なお、コルゲートチューブ８０Ａ，８０Ｂが保持されていない状態では、各仮固定リブ２６Ａ，２６Ｂの対向端縁２８Ａ，２８Ｂの直線部分同士は、略平行に配される。
【００３４】
また、一対の立ち上がり端部２７Ａ，２７Ｂのうち、互いに対向する部分の上側部分は上方から下方へ向かって互いに接近方向に傾斜する誘導テーパ部３１Ａ，３１Ｂとされている。誘導テーパ部３１Ａ，３１Ｂよりも下側の部分は、各コルゲートチューブ８０を未装着の状態では、互いに略平行をなす挿通部３２Ａ，３２Ｂとされている。
【００３５】
なお、各仮固定リブ２６Ａ，２６Ｂのうち対向端縁２８Ａ，２８Ｂに沿う対向縁部２９Ａ，２９Ｂは、コルゲートチューブ８０Ａ，８０Ｂの溝部８１Ａ，８１Ｂの形状にあわせて、対向端縁２８Ａ，２８Ｂに向かって少しずつ板厚寸法が小さくなる形状とされている（図３参照）。
【００３６】
第一半割部材２０の第一周壁２２のうち仮固定リブ２６Ａ，２６Ｂの両側には、スリット３３Ａ，３３Ｂが一対ずつ形成されている。各スリット３３Ａ，３３Ｂは、第一当接縁２３から周方向に細長く切り欠かれた形状をなしている。第一周壁２２のうち一対のスリット３３Ａ，３３Ｂに挟まれた部分は、仮固定リブ２６Ａ，２６Ｂと一体に形成された一体壁３４Ａ，３４Ｂとされている。一体壁３４Ａ，３４Ｂは、仮固定リブ２６Ａ，２６Ｂの外側縁に沿って設けられ、その上端縁の高さ位置は第一当接縁２３の高さ位置とほぼ等しい位置となっている（図５参照）。
【００３７】
また、第一周壁２２のうち各仮固定リブ２６Ａ，２６Ｂの根元の近傍には、開口部３５Ａ，３５Ｂが設けられている。開口部３５Ａ，３５Ｂは、３つずつ並んだリブ２５Ａ，２５Ｂのうち真中のリブ２５Ａ，２５Ｂと各仮固定リブ２６Ａ，２６Ｂとの間の部分に形成され、周方向に若干長い略両方形状をなして第一周壁２２を内外方向に貫通している（図４参照）。各開口部３５Ａ，３５Ｂの短手方向寸法は一体壁３４Ａ，３４Ｂの幅寸法よりも若干小さい寸法とされている。また、仮固定リブ２６Ａ，２６Ｂの対向縁部２９Ａ，２９Ｂは、開口部３５Ａ，３５Ｂに突出している（図３参照）。
【００３８】
第一周壁２２のうち開口部３５Ａ，３５Ｂと一体壁３４Ａ，３４Ｂとの間に残された部分は、第一幹線部２０Ａおよび第一支線部２０Ｂの軸方向に長い形状をなし、その長手方向両端部が第一周壁２２の他の部分と連設された形態の支持軸部３６Ａ，３６Ｂとされている（図４参照）。この支持軸部３６Ａ，３６Ｂは、第一幹線部２０Ａおよび第一支線部２０Ｂの軸方向に沿う方向を軸線として捻り可能とされている。仮固定リブ２６Ａ，２６Ｂおよび一体壁３４Ａ，３４Ｂは、支持軸部３６Ａ，３６Ｂを介して第一周壁２２の他の部分と連設された形態をなし、支持軸部３６Ａ，３６Ｂの軸線を支点として内外方向に変位可能とされている。
【００３９】
支線用仮固定リブ２６Ｂは、弾性変形しない自然状態で支線用コルゲートチューブ８０Ｂの溝部８１Ｂに嵌合する寸法に設定されている。幹線用仮固定リブ２６Ａは、拡開変形した状態で幹線用コルゲートチューブ８０Ａの溝部８１Ａに嵌合する寸法設定とされている。
【００４０】
第一半割部材２０のうち第一幹線用チューブ保持部２４Ａと第一支線用チューブ保持部２４Ｂとには、それぞれロック突部３７Ａ，３７Ｂ（本発明のロック部に該当する）が設けられている。各ロック突部３７Ａ，３７Ｂは、各仮固定リブ２６Ａ，２６Ｂの位置よりも端側であって第一幹線部２０Ａおよび第一支線部２０Ｂの端縁との間に所定の間隔を空けた位置に配されている。各ロック突部３７Ａ，３７Ｂは、第一周壁２２から外側へ突出する形状をなし、後述するロック片５３Ａ，５３Ｂと係合可能とされている。各仮固定リブ２６Ａ，２６Ｂの第一当接縁２３側の面は、組み付け方向へ向かって少しずつ突出寸法が小さくなる傾斜面３８Ａ，３８Ｂとされている。
【００４１】
第二半割部材４０には、各電線はみ出し防止部２１が嵌合可能な嵌合凹部４１が形成されている。各嵌合凹部４１は、第二半割部材４０のうち第二幹線部４０Ａと第二支線部４０Ｂとの間の両角部、言い換えると、第一半割部材２０の電線はみ出し防止部２１に対応する部分に設けられている。
【００４２】
各嵌合凹部４１は、第二半割部材４０の周壁（以後、第二周壁４２と称する）を、第一半割部材２０との当接縁（以後、第二当接縁４３と称する）から第一半割部材２０との組み付け方向とは反対方向へ切り欠いた形態とされ、その形状はそれぞれ電線はみ出し防止リブ２５Ａ，２５Ｂの外形に沿ったものとされている。
【００４３】
第二半割部材４０のうち、幹線用チューブ保持部１３を構成する第二幹線用チューブ保持部４４Ａおよび支線用チューブ保持部１４を構成する第二支線用チューブ保持部４４Ｂには、幹線用コルゲートチューブ８０Ａおよび支線用コルゲートチューブ８０Ｂをそれぞれ押さえ込み可能な押さえ込み部４５Ａ，４５Ｂが設けられている。押さえ込み部４５Ａ，４５Ｂは、第二周壁４２の周方向両端部において支持された両持ち状をなし、第二周壁４２の内外方向に弾性変形可能とされている。この押さえ込み部４５Ａ，４５Ｂには、第一半割部材２０と同様、コルゲートチューブ８０Ａ，８０Ｂの溝部８１Ａ，８１Ｂにそれぞれ差し込み可能なリブ４６Ａ，４６Ｂが形成されている。
【００４４】
第二周壁４２のうち仮固定リブ２６Ａ，２６Ｂと対応する位置には、仮固定リブ２６Ａ，２６Ｂを差し込み可能な開口窓４７Ａ，４７Ｂがそれぞれ設けられている。開口窓４７Ａ，４７Ｂは、第二当接縁４３から第二周壁４２の周方向に細長く切り欠かれた形態をなし、第一半割部材２０との組み付け方向に開放されている。開口窓４７Ａ，４７Ｂの短手方向寸法は、それぞれ対応する仮固定リブ２６Ａ，２６Ｂの板厚寸法よりも若干大きい寸法とされている。そして、両半割部材２０，４０が組み付けられた状態では、各仮固定リブ２６Ａ，２６Ｂは各開口窓４７Ａ，４７Ｂに差し込まれて、第二周壁４２を内外方向に貫通することが許容された状態になる。
【００４５】
第二周壁４２のうち各開口窓４７Ａ，４７Ｂに対応する位置には、変位規制部４８Ａ，４８Ｂがそれぞれ設けられている。変位規制部４８Ａ，４８Ｂは各開口窓４７Ａ，４７Ｂの第二当接縁４３側の端部に設けられ、第二周壁４２のうち開口窓４７Ａ，４７Ｂの両側位置から外側へ突出して開口窓４７Ａ，４７Ｂに架け渡された形状をなしている。詳しくは、変位規制部４８Ａ，４８Ｂは、第二周壁４２のうち開口窓４７Ａ，４７Ｂの両側から突出する一対の突出部５１Ａ，５１Ｂと、この突出部５１Ａ，５１Ｂの突出端同士を連結する連結部５２Ａ，５２Ｂとを備え、上下方向から見ると略Ｕ字状をなしている。
【００４６】
各変位規制部４８Ａ，４８Ｂの両突出部５１Ａ，５１Ｂの対向面は、開口窓４７Ａ，４７Ｂの周面のうちの両側面と面一に形成されている。また、変位規制部４８Ａ，４８Ｂのうち第一半割部材２０と対向する側の面は、第二当接縁４３と面一に形成されている。そして、連結部５２Ａ，５２Ｂの開口窓４７Ａ，４７Ｂ側の面のうち第二当接縁４３側の部分には、第一半割部材２０との組み付け方向へ向かって外側へ傾く傾斜をなす逃がし面４９Ａ，４９Ｂが形成されている。
【００４７】
仮固定リブ２６Ａ，２６Ｂが、開口窓４７Ａ，４７Ｂを貫通して変位規制部４８Ａ，４８Ｂの突出部５１Ａ，５１Ｂ間に差し込まれた状態では、コルゲートチューブ８０Ａ，８０Ｂが引っ張られる等によって仮固定リブ２６Ａ，２６Ｂに対して板厚方向（コルゲートチューブ８０Ａ，８０Ｂの軸方向）の力が作用すると、仮固定リブ２６Ａ，２６Ｂは開口窓４７Ａ，４７Ｂの側面と変位規制部４８Ａ，４８Ｂの突出部５１Ａ，５１Ｂとに面当たりして支持され、その軸方向への位置ずれを確実に防止できる。また、仮固定リブ２６Ａ，２６Ｂは、所定量だけ拡開変形すると連結部５２Ａ，５２Ｂに当接し、それ以上の外側への変位を規制される。これにより、仮固定リブ２６Ａ，２６Ｂが過度に拡開変形してコルゲートチューブ８０Ａ，８０Ｂとの係合が外れてしまったり、また破損してしまったりすることを防止できる。
【００４８】
第二半割部材４０のうち第二幹線用チューブ保持部４４Ａと第二支線用チューブ保持部４４Ｂとには、第一半割部材２０のロック突部３７Ａ，３７Ｂに係合して、両半割部材２０，４０を組み付け状態に保持するロック片５３Ａ，５３Ｂ（本発明のロック部に該当する）が設けられている。各ロック片５３Ａ，５３Ｂは、第二幹線用チューブ保持部４４Ａと第二支線用チューブ保持部４４Ｂとのうち第一半割部材２０のロック突部３７Ａ，３７Ｂに対応する位置、言い換えると、各変位規制部４８Ａ，４８Ｂよりも端側の位置に設けられ、第二周壁４２から外側に突出するとともに、第一半割部材２０との組み付け方向に片持ち状に延出した形状をなしている。各ロック片５３Ａ，５３Ｂは、変位規制部４８Ａ，４８Ｂと隣接して形成されるとともに、第一幹線部２０Ａまたは第一支線部２０Ｂの端面と面一に形成されている。
【００４９】
第一半割部材２０と第二半割部材４０とを連結するヒンジ部６０は、両半割部材２０，４０の第一幹線部２０Ａと第二幹線部４０Ａとの間に設けられ、両幹線部２０Ａ，４０Ａのうち支線部２０Ｂ，４０Ｂが設けられている側とは反対側の縁同士が連結されている。ヒンジ部６０は、幹線部１１の軸方向に沿って長い平板状をなし、その内側面は第一当接縁２３および第二当接縁４３と面一に形成されている（図５参照）。
【００５０】
ヒンジ部６０の短手方向中央部分は、他の部分よりも肉薄とされた屈曲部６１とされている。屈曲部６１は、ヒンジ部６０の長手方向全幅にわたって形成され、この屈曲部６１が屈曲することで、両半割部材２０，４０は閉じた状態と開いた状態との間で回動する。
【００５１】
第一幹線部２０Ａと第二幹線部４０Ａとのうちヒンジ部６０の両側位置には、弾性連結片６２が連結されている。弾性連結片６２は、ヒンジ部６０の短手方向に長い略長方形の板状をなし、第一周壁２２および第二周壁４２のうち第一当接縁２３および第二当接縁４３よりも所定寸法ずつ周方向にずれた位置同士を連結する形態とされている。すなわち、両弾性連結片６２は、ヒンジ部６０とは周方向にずれた位置に配されている。
【００５２】
各弾性連結片６２は、その長手方向中央部分が両端部よりも外側に凹んだ形状をなし、この凹んだ部分を伸ばして平らにした状態では、その長手方向寸法はヒンジ部６０の短手方向寸法よりも長くなる設定とされている。
【００５３】
第一半割部材２０と第二半割部材４０とを閉じる際には、ヒンジ部６０は、その屈曲部６１が外側に突出するようにして折れ曲がり、弾性連結片６２は、第一周壁２２と第二周壁４２とが離れるのに伴って弾性的に伸びていき、所定位置まで両半割部材２０，４０が回動されたところで、両弾性連結片６２が屈曲部６１よりも内側位置に配された状態となる。このとき、弾性連結片６２には収縮方向に復帰しようとする力が生じており、この力がヒンジ部６０の屈曲部６１よりも内側位置で生じることによって、第一半割部材２０と第二半割部材４０とが閉じ方向に付勢された状態になる。
【００５４】
一方、第一半割部材２０と第二半割部材４０とを開く際には、ヒンジ部６０の屈曲部６１が開いていき、所定位置まで両半割部材２０，４０が回動されたところで、両弾性連結片６２が屈曲部６１よりも外側位置に配された状態となる。このとき、弾性連結片６２には収縮方向に弾性復元力が生じており、この力がヒンジ部６０の屈曲部６１よりも外側位置で生じることにより、第一半割部材２０と第二半割部材４０とは、開き方向に付勢された状態になる。
【００５５】
なお、第一半割部材２０および第二半割部材４０には、プロテクタ１０を被固定物（図示せず）に固定するためのクランプ７０を取り付け可能なクランプ取付部７１が設けられている。クランプ７０は、両半割部材２０，４０とは別体のものである。
【００５６】
次に、前述のプロテクタ１０を電線の分岐部分に取り付ける作業について説明する。
まず、電線の分岐部分にそれぞれ幹線用コルゲートチューブ８０Ａおよび支線用コルゲートチューブ８０Ｂを嵌め付ける。
そして、両半割部材２０，４０を約１８０度開いた状態にする。このとき、弾性連結片６２により両半割部材２０，４０は開き方向に付勢されるから、手で押さえていなくても両半割部材２０，４０は開いた状態に保持される。
【００５７】
この開いた状態のプロテクタ１０を電線の分岐部分に取り付ける。まず、各幹線用コルゲートチューブ８０Ａおよび支線用コルゲートチューブ８０Ｂの所定部分がプロテクタ１０の内部に配されるよう、各第一幹線用チューブ保持部２４Ａおよび第一支線用チューブ保持部２４Ｂを各幹線用コルゲートチューブ８０Ａに対して位置合わせしつつ、プロテクタ１０を電線の分岐部分に近付ける。このとき、両半割部材２０，４０は弾性連結片６２により開いた状態に保持されているから、自由に使える両手のうち一方の手を第一半割部材２０のみに宛がい、他方の手をコルゲートチューブ８０Ａ，８０Ｂに宛がって作業を行うことができる。
【００５８】
そして、各仮固定リブ２６Ａ，２６Ｂの誘導テーパ部３１Ａ，３１Ｂを、コルゲートチューブ８０Ａ，８０Ｂの溝部８１Ａ，８１Ｂの位置に合わせて押し付ける。このとき、誘導テーパ部３１Ａ，３１Ｂが各コルゲートチューブ８０Ａ，８０Ｂの溝部８１Ａ，８１Ｂの奥面に沿って配された状態となり、各仮固定リブ２６Ａ，２６Ｂの位置が各コルゲートチューブ８０Ａ，８０Ｂに対して位置ずれすることなく保持することができる。
【００５９】
その状態から、第一半割部材２０を電線の分岐部に押し付けると、各仮固定リブ２６Ａ，２６Ｂは支持軸部３６Ａ，３６Ｂの軸線を中心に互いに拡開方向に弾性変形し、各仮固定リブ２６Ａ，２６Ｂの挿通部３２Ａ，３２Ｂが溝部８１Ａ，８１Ｂの奥面にそれぞれ接触した状態になる。さらに第一半割部材２０を押し付けると、挿通部３２Ａ，３２Ｂが溝部８１Ａ，８１Ｂの奥面の円弧形状に沿ってその外径寸法が最大値となる位置（コルゲートチューブ８０Ａ，８０Ｂにおける仮固定リブ２６Ａ，２６Ｂの差し込み方向ほぼ中間位置）まで乗り上がった後、挿通部３２Ａ，３２Ｂがこの位置を乗り越える。そして、所定位置（各チューブ保持部２４Ａ，２４Ｂの内周面が各コルゲートチューブ８０Ａ，８０Ｂの突部８２Ａ，８２Ｂと近接する位置）までプロテクタ１０を押し込むと、各仮固定リブ２６Ａ，２６Ｂの両立ち上がり端部２７Ａ，２７Ｂがコルゲートチューブ８０Ａ，８０Ｂをそれぞれ抱え込んだ状態になる（図８参照）。仮固定リブ２６Ａ，２６Ｂは、自身の復元力によって溝部８１Ａ，８１Ｂに嵌合した状態で保持される。こうして、各コルゲートチューブ８０Ａ，８０Ｂは各仮固定リブ２６Ａ，２６Ｂの間に装着されて側方への位置のずれが規制されるとともに、各仮固定リブ２６Ａ，２６Ｂが溝部８１Ａ，８１Ｂに差し込まれることにより軸方向の位置ずれが規制され、立ち上がり端部２７Ａ，２７Ｂによって第一半割部材２０からの浮き上がりが防止された状態になるから、各コルゲートチューブ８０Ａ，８０Ｂを第一半割部材２０に対して位置ずれしないように手で押さえる必要がない。また、各チューブ保持部２４Ａ，２４Ｂに設けられたリブ２５Ａ，２５Ｂは、各コルゲートチューブ８０Ａ，８０Ｂの溝部８１Ａ，８１Ｂにそれぞれ嵌合した状態になっており、このリブ２５Ａ，２５Ｂによっても各コルゲートチューブ８０の軸方向の位置のずれが規制される。なお、幹線用コルゲートチューブ８０Ａが嵌め込まれた幹線用仮固定リブ２６Ａは、拡開変形した状態となっている。
【００６０】
ここで、本実施形態においては、各仮固定リブ２６Ａ，２６Ｂを各コルゲートチューブ８０Ａ，８０Ｂに一度に嵌め込むようにしたが、幹線用仮固定リブ２６Ａおよび支線用仮固定リブ２６Ｂを順番にコルゲートチューブ８０Ａ，８０Ｂに嵌め込むようにしてもよい。
【００６１】
次に、第二半割部材４０を第一半割部材２０側に閉じていく。このとき、電線のうち幹線用コルゲートチューブ８０Ａおよび支線用コルゲートチューブ８０Ｂから露出した部分（電線のうち幹線から支線に分岐して屈曲する部分）は、電線はみ出し防止部２１によって、第一半割部材２０からはみ出さない状態で保持される。したがって、両半割部材２０，４０を閉じる際に、両半割部材２０，４０の当接縁２３，２４同士の間に電線を噛み込まないよう、電線を手で押さえていなくてもよい。また、全てのコルゲートチューブ８０Ａ，８０Ｂが各仮固定リブ２６Ａ，２６Ｂによって位置ずれなく保持されているから、それらの位置をそれぞれずれないように手で押さえる必要がない。すなわち、第一半割部材２０と第二半割部材４０のみに手を宛がってそれらを閉じる作業を行うことができ、従来のように、半割部材の内側に収容される電線やコルゲートチューブを手で押さえつつ、両半割部材を閉じる作業を行う場合に比べて、取り付け作業の効率を良くすることができる。
【００６２】
そして、第二半割部材４０を第一半割部材２０側に閉じていくと、各仮固定リブ２６Ａ，２６Ｂが、それぞれ対応する第二半割部材４０の開口窓４７Ａ，４７Ｂに差し込まれてく。このとき、幹線用仮固定リブ２６Ａは、所定位置まで拡開変形した状態になっているため、変位規制部４８Ａの連結部５２Ａの直内側位置を通過していく。この連結部５２Ａの内側には逃がし面４９Ａが形成されているから、仮固定リブ２６Ａの外縁が引っ掛かることなくスムーズに差し込み作業を行うことができる。
【００６３】
また、各ロック片５３Ａ，５３Ｂがロック突部３７Ａ，３７Ｂの傾斜面３８Ａ，３８Ｂに当接して弾性撓みし、両半割部材２０，４０の当接縁２３，２４同士が当接すると同時にロック突部３７Ａ，３７Ｂを乗り越えて弾性復帰し、ロック突部３７Ａ，３７Ｂと係合した状態になる。
【００６４】
こうして、両半割部材２０，４０は、各チューブ保持部２４Ａ，２４Ｂの端部位置において互いに係合し、ロック状態に保持される。また、電線はみ出し防止部２１はそれぞれ嵌合凹部４１に嵌合して、両半割部材２０，４０の周壁から内外方向に突出することなく組み付けられた状態になる。そして、第二半割部材４０の押さえ込み部４５Ａ，４５Ｂは、各コルゲートチューブ８０Ａ，８０Ｂを押さえ込んだ状態になる。
【００６５】
なお、プロテクタ１０が電線の分岐部分に組み付けられた状態では、両半割部材２０，４０のリブ２５Ａ，２５Ｂとともに各仮固定リブ２６Ａ，２６Ｂが各コルゲートチューブ８０Ａ，８０Ｂの溝部８１Ａ，８１Ｂに嵌合することにより、リブ２５Ａ，２５Ｂのみが嵌合する場合に比べて、コルゲートチューブ８０Ａ，８０Ｂのプロテクタ１０からの抜け出しを確実に規制することができる。
【００６６】
以上説明したように本実施形態によれば、プロテクタ１０を組み付ける際、コルゲートチューブ８０Ａ，８０Ｂを第一半割部材２０に対して位置ずれしないように手で押さえる必要がなく、プロテクタ１０の取り付け作業の効率を良くすることができる。
【００６７】
また、径の大きなコルゲートチューブ８０Ａが装着されて仮固定リブ２６Ａが拡開した状態でも、その拡開した仮固定リブ２６Ａを開口窓４７Ａに差し込みつつ半割部材２０，４０同士を組み付けることができ、もって大径のコルゲートチューブ８０Ａであっても仮固定リブ２６Ａに装着して、容易に取り付け作業を行うことができる。
【００６８】
＜他の実施形態＞
本発明は上記記述及び図面によって説明した実施形態に限定されるものではなく、例えば次のような実施形態も本発明の技術的範囲に含まれる。
【００６９】
（１）上記実施形態では、このプロテクタ１０は、ヒンジ部６０を介して連結された一対の半割部材２０，４０からなるものとされているが、ヒンジ部で連結されていないものであってもよい。
（２）上記実施形態では、プロテクタ１０は、支線部１２が幹線部１１に対して略直角方向に分岐した形態の略Ｔ字形とされているが、これに限らず、プロテクタは、支線部のない円筒形状のものとされていてもよい。
【００７０】
（３）上記実施形態では、プロテクタ１０の幹線部１１の両端部に別々の幹線用コルゲートチューブ８０Ａを保持するようにしたが、幹線部の軸方向寸法よりも長い寸法を備えた１本のコルゲートチューブを使用し、その両端部を幹線部から突出させるようにして保持するようにしてもよい。
（４）上記実施形態では、仮固定リブ２６Ａ，２６Ｂは、支持軸部３６Ａ，３６Ｂを介して第一周壁２２と連設され、この支持軸部３６Ａ，３６Ｂの軸線を支点として内外方向に変位可能なものとされているが、これに限らず、例えば支持軸部を介さず第一周壁に連設され、内外方向に変位しない構造のものであってもよい。
【００７１】
（５）上記実施形態では、仮固定リブ２６Ａ，２６Ｂは、幹線用チューブ保持部１３および支線用チューブ保持部１４に一対ずつ設けられているが、必ずしもチューブ保持部毎に設けなくてもよい。
（６）上記実施形態では、第二周壁４２には、仮固定リブ２６Ａ，２６Ｂの貫通を許容する開口窓４７Ａ，４７Ｂが開口されているが、必ずしも開口窓は開口されていなくてもよく、また第二周壁側だけでなく第一周壁側にわたって開口するようにしてもよい。
【００７２】
（７）上記実施形態では、第二半割部材４０には、仮固定リブ２６Ａ，２６Ｂの所定量以上の変位を規制する変位規制部４８Ａ，４８Ｂが設けられているが、変位規制部は第一半割部材側に設けられていてもよく、また、変位規制部が設けられないものであってもよい。
（８）上記実施形態では、両半割部材２０，４０のうちヒンジ部６０の両側位置には弾性連結片６２が連結されているが、例えば一対のヒンジ部の間に弾性連結片を設けるようにしてもよく、また弾性連結片を設けることなくヒンジ部のみで両半割部材を連結するようにしてもよい。
【００７３】
（９）上記実施形態では、第一半割部材２０には、電線はみ出し防止部２１が立ち上げられているが、必ずしも電線はみ出し防止部は設けられていなくてもよい。
（１０）上記実施形態では、第一幹線部２０Ａと第一支線部２０Ｂとの間の角部に電線はみ出し防止部２１が立ち上げられているが、電線のはみ出しを防止できる位置であれば、電線はみ出し防止部はどのような位置に設けられていてもよい。
【００７４】
（１１）上記実施形態では、電線はみ出し防止部２１は第一当接縁２３から立ち上がる形状とされているが、これに限らず、例えば第一半割部材の内周面から立ち上がる形状とされていてもよい。
（１２）上記実施形態では、ロック部は、幹線用チューブ保持部１３と支線用チューブ保持部１４とにおける仮固定リブ２６Ａ，２６Ｂよりも端側の位置に配されているが、仮固定リブよりも中央側の位置に配されていてもよい。
【００７５】
（１３）上記実施形態では、第一半割部材２０にはコルゲートチューブ８０Ａ，８０Ｂの溝部８１Ａ，８１Ｂに差し込み可能なリブ２５Ａ，２５Ｂが設けられているが、必ずしもリブは設けられていなくてもよい。
【図面の簡単な説明】
【００７６】
【図１】本実施形態のプロテクタにおいて第一半割部材側にコルゲートチューブが保持された状態を示す外観斜視図
【図２】プロテクタの外観斜視図
【図３】両半割部材が開いた状態を示す外観斜視図
【図４】両半割部材が開いた状態を示す平面図
【図５】両半割部材が開いた状態を示す断面図
【図６】仮固定リブの形状を表す一部拡大断面図
【図７】仮固定リブが拡開した状態を示す一部拡大外観斜視図
【図８】コルゲートチューブが保持された状態を示す一部拡大断面図
【符号の説明】
【００７７】
１０…プロテクタ
１１…幹線部
１２…支線部
１３…幹線用チューブ保持部
１４…支線用チューブ保持部
２０…第一半割部材（一方の半割部材）
２１…電線はみ出し防止部
２２…第一周壁（一方の半割部材の周壁）
２３…第一当接縁（他方の半割部材との当接縁）
２５Ａ，２５Ｂ…リブ
２６Ａ，２６Ｂ…仮固定リブ
２７Ａ，２７Ｂ…立ち上がり端部
３６Ａ，３６Ｂ…支持軸部
３７Ａ，３７Ｂ…ロック突部（ロック部）
４０…第二半割部材（他方の半割部材）
４１…嵌合凹部
４７Ａ，４７Ｂ…開口窓
４８Ａ，４８Ｂ…変位規制部
５３Ａ，５３Ｂ…ロック片（ロック部）
６０…ヒンジ部
６２…弾性連結片
８０Ａ…幹線用コルゲートチューブ
８０Ｂ…支線用コルゲートチューブ
８１Ａ，８１Ｂ…溝部
【図１】
2008278724.tif 000003
【図２】
2008278724.tif 000004
【図３】
2008278724.tif 000005
【図４】
2008278724.tif 000006
【図５】
2008278724.tif 000007
【図６】
2008278724.tif 000008
【図７】
2008278724.tif 000009
【図８】
2008278724.tif 000010